(57)【要約】【課題】フライングキャパシタ（コンデンサ）を用いたマルチレベル電力変換回路では、コンデンサの浮遊容量は、コンデンサの許容電圧変動幅、コンデンサに流れる電流の積分値、及びキャリア周期の３つのパラメータに基づいて設計する必要がある。特にコンデンサの許容電圧変動幅を小さく抑制するとコンデンサが大型で、高価格となる問題がある。【解決手段】交流電圧を０から＋Ｅｄ（負から正）、又は０から−Ｅｄ（正から負）へ変化させるに際し、コンデンサの電圧を検出し、電圧値が所定値より低い時には充電が可能なスイッチング動作パターンを、電圧値が所定値より高い時には放電が可能なスイッチング動作パターンを、短時間各々のスイッチング素子に与え、コンデンサの電圧変動値を所定の変動範囲内に抑制する。【選択図】図１
2014017957.tif 000002
【特許請求の範囲】
【請求項１】
直流から交流、もしくは交流から直流に変換する電力変換回路であって、１相分の回路として、正側端子と負側端子と中間端子とを備えた直流電源の正側端子と負側端子との間に接続したダイオードを逆並列接続した少なくとも６個の半導体スイッチを直列接続した第１の半導体スイッチ直列回路と、前記第１の半導体スイッチ直列回路の中間点に接続される二つの半導体スイッチの直列回路と並列接続される第１のコンデンサと、前記第１の半導体スイッチ直列回路の中間点から上下各２個の半導体スイッチの直列回路と並列接続される第２のコンデンサと、前記第２のコンデンサと並列接続されるダイオードを逆並列接続した少なくとも４個の半導体スイッチを直列接続した第２の半導体スイッチ直列回路と、前記第２の半導体スイッチ直列回路の中間点に接続される二つの半導体スイッチの直列回路と並列接続される第３のコンデンサと、前記第２の半導体スイッチ直列回路の中間点と前記直流電源の中間端子との間に接続される双方向性のスイッチングが可能な双方向スイッチと、を備えたマルチレベル電力変換回路の制御方式において、交流端子となる前記第１の半導体スイッチ直列回路の中間点の電位が、前記直流電源の正側電位から中間電位を経て負側電位に移行する際、又は前記直流電源の負側電位から中間電位を経て正側電位に移行する際、予め決められたスイッチングパターンを出力することを特徴とするマルチレベル電力変換回路の制御方式。
【請求項２】
直流から交流、もしくは交流から直流に変換する電力変換回路であって、１相分の回路として、正側端子と負側端子と中間端子とを備えた直流電源の正側端子と負側端子との間に接続したダイオードを逆並列接続した少なくとも６個の半導体スイッチを直列接続した第１の半導体スイッチ直列回路と、前記第１の半導体スイッチ直列回路の中間点に接続される二つの半導体スイッチの直列回路と並列接続される第１のコンデンサと、前記第１の半導体スイッチ直列回路の中間点から上下各２個の半導体スイッチの直列回路と並列接続される第２のコンデンサと、前記第２のコンデンサと並列接続されるダイオードを逆並列接続した少なくとも４個の半導体スイッチを直列接続した第２の半導体スイッチ直列回路と、前記第２の半導体スイッチ直列回路の中間点に接続される二つの半導体スイッチの直列回路と並列接続される第３のコンデンサと、前記第２の半導体スイッチ直列回路の中間点と前記直流電源の中間端子との間に接続される双方向性のスイッチングが可能な双方向スイッチと、を備えたマルチレベル電力変換回路の制御方式において、交流端子となる前記第１の半導体スイッチ直列回路の中間点の電位が、前記直流電源の正側電位から中間電位を経て負側電位に移行する際、又は前記直流電源の負側電位から中間電位を経て正側電位に移行する際、前記第１〜第３のコンデンサのうち少なくとも１個のコンデンサの電圧値に応じて、予め決められたスイッチングパターンを出力することを特徴とするマルチレベル電力変換回路の制御方式。
【請求項３】
請求項１又は２に記載のマルチレベル電力変換回路の制御方式において、予め決められたスイッチングパターンを出力する時間は、パルス幅変調（ＰＷＭ）制御のキャリア周期よりも短い時間とすることを特徴とするマルチレベル電力変換回路の制御方式。
【請求項４】
請求項１又は２に記載のマルチレベル電力変換回路の制御方式において、スイッチングパターンの選択は事前に検出された３個のコンデンサの電圧値に応じて決定することを特徴とするマルチレベル電力変換回路の制御方式。
【請求項５】
請求項４に記載のマルチレベル電力変換回路の制御方式において、スイッチングパターンの選択は前記第３のコンデンサの電圧値を第１優先として決定することを特徴とするマルチレベル電力変換回路の制御方式。
【請求項６】
直流から交流、もしくは交流から直流に変換する電力変換回路であって、１相分の回路として、正側端子と負側端子と中間端子とを備えた直流電源の正側端子と負側端子との間に接続したダイオードを逆並列接続した少なくとも８個の半導体スイッチを直列接続した第１の半導体スイッチ直列回路と、前記第１の半導体スイッチ直列回路の中間点に接続される二つの半導体スイッチの直列回路と並列接続される第１のコンデンサと、前記第１の半導体スイッチ直列回路の中間点から上下各２個の半導体スイッチの直列回路と並列接続される第２のコンデンサと、前記第１の半導体スイッチ直列回路の中間点から上下各３個の半導体スイッチの直列回路と並列接続される第３のコンデンサと、前記第３のコンデンサと並列接続されるダイオードを逆並列接続した少なくとも６個の半導体スイッチを直列接続した第２の半導体スイッチ直列回路と、前記第２の半導体スイッチ直列回路の中間点から上下各２個の半導体スイッチの直列回路と並列接続される第４のコンデンサと、前記第２の半導体スイッチ直列回路の中間点に接続される二つの半導体スイッチの直列回路と並列接続される第５のコンデンサと、前記第２の半導体スイッチ直列回路の中間点と前記直流電源の中間端子との間に接続される双方向性のスイッチングが可能な双方向スイッチと、を備えたマルチレベル電力変換回路の制御方式において、交流端子となる前記第１の半導体スイッチ直列回路の中間点の電位が、前記直流電源回路の正側電位から中間電位を経て負側電位に移行する際、又は前記直流電源の負側電位から中間電位を経て正側電位に移行する際、予め決められたスイッチングパターンを出力することを特徴とするマルチレベル電力変換回路の制御方式。
【請求項７】
直流から交流、もしくは交流から直流に変換する電力変換回路であって、１相分の回路として、正側端子と負側端子と中間端子とを備えた直流電源の正側端子と負側端子との間に接続したダイオードを逆並列接続した少なくとも８個の半導体スイッチを直列接続した第１の半導体スイッチ直列回路と、前記第１の半導体スイッチ直列回路の中間点に接続される二つの半導体スイッチの直列回路と並列接続される第１のコンデンサと、前記第１の半導体スイッチ直列回路の中間点から上下各２個の半導体スイッチの直列回路と並列接続される第２のコンデンサと、前記第１の半導体スイッチ直列回路の中間点から上下各３個の半導体スイッチの直列回路と並列接続される第３のコンデンサと、前記第３のコンデンサと並列接続されるダイオードを逆並列接続した少なくとも６個の半導体スイッチを直列接続した第２の半導体スイッチ直列回路と、前記第２の半導体スイッチ直列回路の中間点から上下各２個の半導体スイッチの直列回路と並列接続される第４のコンデンサと、前記第２の半導体スイッチ直列回路の中間点に接続される二つの半導体スイッチの直列回路と並列接続される第５のコンデンサと、前記第２の半導体スイッチ直列回路の中間点と前記直流電源の中間端子との間に接続される双方向性のスイッチングが可能な双方向スイッチと、を備えたマルチレベル電力変換回路の制御方式において、交流端子となる前記第１の半導体スイッチ直列回路の中間点の電位が、前記直流電源回路の正側電位から中間電位を経て負側電位に移行する際、又は前記直流電源の負側電位から中間電位を経て正側電位に移行する際、前記第１〜第５のコンデンサのうち少なくとも１個のコンデンサの電圧値に応じて、予め決められたスイッチングパターンを出力することを特徴とするマルチレベル電力変換回路の制御方式。
【請求項８】
請求項６又は７に記載のマルチレベル電力変換回路の制御方式において、予め決められたスイッチングパターンを出力する時間は、パルス幅変調（ＰＷＭ）制御のキャリア周期よりも短い時間とすることを特徴とするマルチレベル電力変換回路の制御方式。
【請求項９】
請求項６又は７に記載のマルチレベル電力変換回路の制御方式において、スイッチングパターンの選択は事前に検出された５個のコンデンサの電圧値に応じて決定することを特徴とするマルチレベル電力変換回路の制御方式。
【請求項１０】
請求項９に記載のマルチレベル電力変換回路の制御方式において、スイッチングパターンの選択は前記第５のコンデンサの電圧値を第１優先として決定することを特徴とするマルチレベル電力変換回路の制御方式。
【発明の詳細な説明】
【技術分野】
【０００１】
本発明は、交流電動機駆動などを目的としたフライングキャパシタを用いたマルチレベル電力変換回路の制御方式に関し、特に交流電圧が正から負、又は負から正へ遷移する時の制御方式に関する。
【背景技術】
【０００２】
図１４に直流から交流に変換するマルチレベル電力変換回路である、７レベルインバータの回路例を示す。ＤＰ１、ＤＰ２が直列に接続された直流電源（電圧：３Ｅｄ×２）で、正側電位をＰ、負側電位をＮ、中点電位をＭとしている。一般に本直流電源を交流電源システムより構成する場合は、図示していない整流器と大容量のコンデンサを２直列接続などによって構成することが可能である。Ｓ１〜Ｓ６は直流電源のＰ側電位とＮ側電位との間に６個直列接続されているダイオードを逆並列接続したＩＧＢＴ（半導体スイッチ）である。Ｓ７〜Ｓ１０は、ＩＧＢＴＳ１とＳ２の接続点とＩＧＢＴＳ５とＳ６の接続点との間に４個直列接続されたダイオードを逆並列接続したＩＧＢＴ（半導体スイッチ）である。
ＩＧＢＴＳ１１とＳ１２の逆並列接続回路は直流電源のＭ電位とＩＧＢＴＳ８とＳ９との接続点との間に接続された双方向性の半導体スイッチである。
【０００３】
双方向性の半導体スイッチは図１４に示すように逆耐圧を有するＩＧＢＴを逆並列接続するか、もしくは図１５（ａ）〜（ｃ）に示すように逆耐圧を有しないＩＧＢＴとダイオードとを組み合わせで構成できる。またＣ１ａ、Ｃ１ｂ、Ｃ２がフライングキャパシタと呼ばれるコンデンサで、直流電源電圧を３Ｅｄ×２とした時、各コンデンサ両端の平均的な電圧は、コンデンサＣ１ａがＥｄに、コンデンサＣ２が２Ｅｄに、コンデンサＣ１ｂがＥｄに、それぞれ制御され、直流電源ＤＰ１、ＤＰ２の電圧と各コンデンサの充放電現象を利用して、Ｅｄ刻みで＋３Ｅｄ〜−３Ｅｄの間の中間電位を交流端子ＡＣＴに出力する。すなわち本回路構成とすることで、変換器の交流端子ＡＣＴの電位は、半導体スイッチ（ＩＧＢＴ）のオンオフ動作と３個のコンデンサ（Ｃ１ａ、Ｃ１ｂ、Ｃ２）電圧を利用して、Ｐ、Ｐ−Ｅｄ、Ｐ−２Ｅｄ、０、Ｎ＋２Ｅｄ、Ｎ＋Ｅｄ、Ｎの電位を出力することが可能な７レベル出力のインバータとなる。これら回路群ＡＵが１相分となり、３台（ＡＵ、ＡＶ、ＡＷ）接続することで図１６に示すような３相のインバータを構成する。ここでＡＣＭは本システムの負荷例である交流電動機である。また図２１には耐圧の等しい半導体スイッチを適用した場合の回路例を示す。この回路構成の場合、図１４におけるＩＧＢＴＳ１がＳ１ａ〜Ｓ１ｄに、Ｓ６がＳ６ａ〜Ｓ６ｄに、それぞれ４個直列接続された構成となる。
【０００４】
図１８に本７レベルインバータをＰＷＭ制御した時の出力線間電圧（Ｖｏｕｔ）波形例を示す。本方式は２レベルタイプのインバータに対して、１ステップの電圧変化幅がＥｄで正弦波波形に近くなることから低次の高調波成分が少なくなり、また半導体スイッチのスイッチング損失が低減できることから、高効率電力変換システムの構築が可能となる。
【０００５】
また図１７にはマルチレベル変換回路の基本形となる回路を示す。この回路は特許文献１に記載された回路で、Ｑ１〜Ｑ６はＩＧＢＴ、Ｃｆがコンデンサで、図中の端子ＴＡとＴＢに変換回路を追加することでマルチレベル化が可能となる。
【先行技術文献】
【特許文献】
【０００６】
【特許文献１】特表２００９−５２５７１７号公報
【発明の概要】
【発明が解決しようとする課題】
【０００７】
上述のように、図１４に示す７レベルインバータ回路において、交流端子ＡＣＴに出力可能な電位は、３Ｅｄ、２Ｅｄ、Ｅｄ、０、−Ｅｄ、−２Ｅｄ、−３Ｅｄの７種類となる。すなわち制御としては、ＰＷＭ制御を実施しながらこれら電位を切換えて正弦波状の電圧を出力する方式となる。但し、スイッチングパターンの切換えによって発生する電圧の変化幅は、モータ側の絶縁破壊の観点からＥｄであることが望ましい（切換えパターンによっては２Ｅｄや３Ｅｄの変化幅とすることも可能であるが、前述の理由により通常実施しない）。すなわちＰＷＭ制御実施中の交流端子ＡＣＴの電位は、
３Ｅｄ  −  ２Ｅｄ  −  Ｅｄ  −  ０  −  （−Ｅｄ）  −  （−２Ｅｄ）  −  （−３Ｅｄ）
と、隣り合う電位間を変化しながら推移していく。
【０００８】
ところで制御上の煩雑さを避けるために一般に、交流端子ＡＣＴの電位が  Ｅｄ  →  ０  →  −Ｅｄ  と変化する場合において、Ｅｄから零電位（０）に遷移する際の零電圧出力パターンを図１９に示すようなパターン（Ｓ１２、Ｓ１１、Ｓ９、Ｓ１０、Ｓ５、Ｓ４がオン状態）に限定（電流の方向は負荷力率によって反対となる場合もある）し、また同様に、交流端子ＡＣＴの電位が  −Ｅｄ  →  ０  →  Ｅｄ  と変化する場合においては、−Ｅｄから零電位（０）に遷移する際の零電圧出力パターンを図２０のようなパターン（Ｓ３、Ｓ２、Ｓ７、Ｓ８、Ｓ１１、Ｓ１２がオン状態）に限定する（電流の方向は負荷力率によって反対となる場合もある）ことが行われる。
【０００９】
また図１４に示す７レベルインバータ回路において、交流端子ＡＣＴに−Ｅｄを出力するスイッチングパターンは、下記の（１）〜（５）の５通り存在する（同様にＥｄを出力するパターンも５通りある）。
【００１０】
（１）Ｓ２、Ｓ３、Ｓ６、Ｓ７、Ｓ８、Ｓ１１オン
（２）Ｓ４、Ｓ５、Ｓ８、Ｓ１０、Ｓ１１、Ｓ１２オン
（３）Ｓ２、Ｓ４、Ｓ７、Ｓ８、Ｓ１１、Ｓ１２オン
（４）Ｓ４、Ｓ５、Ｓ７、Ｓ９、Ｓ１１、Ｓ１２オン
（５）Ｓ３、Ｓ５、Ｓ７、Ｓ８、Ｓ１１、Ｓ１２オン
ちなみに−２Ｅｄを出力するスイッチングパターンは下記の３通り存在する（同様に２Ｅｄを出力するパターンも３通りある）。
【００１１】
（１）Ｓ３、Ｓ５、Ｓ６、Ｓ７、Ｓ８、Ｓ１１オン
（２）Ｓ２、Ｓ４、Ｓ６、Ｓ７、Ｓ８、Ｓ１１オン
（３）Ｓ４、Ｓ５、Ｓ７、Ｓ８、Ｓ１１、Ｓ１２オン
また−３Ｅｄを出力するスイッチングパターンは下記の１通りとなる（同様に３Ｅｄを出力するパターンも１通り）。
【００１２】
（１）Ｓ４、Ｓ５、Ｓ６、Ｓ７、Ｓ８、Ｓ１１オン
すなわちこれらスイッチングパターンの中で、コンデンサＣ１ａを利用しているのは−Ｅｄを出力する５通りのパターン中の（２）と（４）の２通りのパターンとなる（実際はＥｄを出力するパターンにも２通りあるため、計４通りとなる）。
【００１３】
一方ＰＷＭ制御において、最低限１キャリア周期分は同じスイッチングパターンが出力されることがありうるので、フライングキャパシタの容量は、コンデンサの許容電圧変動幅、コンデンサに流れる電流の積分値、およびキャリア周期の３つのパラメータに基づいて設計する必要がある。
【００１４】
すなわち、コンデンサの許容電圧変動幅が小さいほど、また流れる電流値が大きいほど、またキャリア周期が長いほど、必要となるフライングキャパシタの静電容量は大きくなる。
また一般にマルチレベルインバータを適用するシステムは、数千Ｖクラスの高圧となるため、ここに適用されるコンデンサはフィルムコンデンサあるいはオイルコンデンサとなり、体積的に大型なものが必要となり、コストアップの要因となる。
【００１５】
従って、本発明の課題は、フライングキャパシタの静電容量を正規の動作における値より小さくできるマルチレベル電力変換回路の制御方式を提供することである。
【課題を解決するための手段】
【００１６】
上述の課題を解決するために、第１の発明においては、直流から交流、もしくは交流から直流に変換する電力変換回路であって、１相分の回路として、正側端子と負側端子と中間端子とを備えた直流電源の正側端子と負側端子との間に接続したダイオードを逆並列接続した少なくとも６個の半導体スイッチを直列接続した第１の半導体スイッチ直列回路と、前記第１の半導体スイッチ直列回路の中間点に接続される二つの半導体スイッチの直列回路と並列接続される第１のコンデンサと、前記第１の半導体スイッチ直列回路の中間点から上下各２個の半導体スイッチの直列回路と並列接続される第２のコンデンサと、前記第２のコンデンサと並列接続されるダイオードを逆並列接続した少なくとも４個の半導体スイッチを直列接続した第２の半導体スイッチ直列回路と、前記第２の半導体スイッチ直列回路の中間点に接続される二つの半導体スイッチの直列回路と並列接続される第３のコンデンサと、前記第２の半導体スイッチ直列回路の中間点と前記直流電源の中間端子との間に接続される双方向性のスイッチングが可能な双方向スイッチと、を備えたマルチレベル電力変換回路の制御方式において、交流端子となる前記第１の半導体スイッチ直列回路の中間点の電位が、前記直流電源の正側電位から中間電位を経て負側電位に移行する際、又は前記直流電源の負側電位から中間電位を経て正側電位に移行する際、予め決められたスイッチングパターンを出力する。
【００１７】
第２の発明においては、直流から交流、もしくは交流から直流に変換する電力変換回路であって、１相分の回路として、正側端子と負側端子と中間端子とを備えた直流電源の正側端子と負側端子との間に接続したダイオードを逆並列接続した少なくとも６個の半導体スイッチを直列接続した第１の半導体スイッチ直列回路と、前記第１の半導体スイッチ直列回路の中間点に接続される二つの半導体スイッチの直列回路と並列接続される第１のコンデンサと、前記第１の半導体スイッチ直列回路の中間点から上下各２個の半導体スイッチの直列回路と並列接続される第２のコンデンサと、前記第２のコンデンサと並列接続されるダイオードを逆並列接続した少なくとも４個の半導体スイッチを直列接続した第２の半導体スイッチ直列回路と、前記第２の半導体スイッチ直列回路の中間点に接続される二つの半導体スイッチの直列回路と並列接続される第３のコンデンサと、前記第２の半導体スイッチ直列回路の中間点と前記直流電源の中間端子との間に接続される双方向性のスイッチングが可能な双方向スイッチと、を備えたマルチレベル電力変換回路の制御方式において、交流端子となる前記第１の半導体スイッチ直列回路の中間点の電位が、前記直流電源の正側電位から中間電位を経て負側電位に移行する際、又は前記直流電源の負側電位から中間電位を経て正側電位に移行する際、前記第１〜第３のコンデンサのうち少なくとも１個のコンデンサの電圧値に応じて、予め決められたスイッチングパターンを出力する。
【００１８】
第３の発明においては、第１又は２の発明における予め決められたスイッチングパターンを出力する時間は、パルス幅変調（ＰＷＭ）制御のキャリア周期よりも短い時間とする。
【００１９】
第４の発明においては、第１又は２の発明におけるスイッチングパターンの選択は事前に検出された３個のコンデンサの電圧値に応じて決定する。
第５の発明においては、第４の発明におけるスイッチングパターンの選択は前記第３のコンデンサの電圧値を第１優先として決定する。
【００２０】
第６の発明においては、直流から交流、もしくは交流から直流に変換する電力変換回路であって、１相分の回路として、正側端子と負側端子と中間端子とを備えた直流電源の正側端子と負側端子との間に接続したダイオードを逆並列接続した少なくとも８個の半導体スイッチを直列接続した第１の半導体スイッチ直列回路と、前記第１の半導体スイッチ直列回路の中間点に接続される二つの半導体スイッチの直列回路と並列接続される第１のコンデンサと、前記第１の半導体スイッチ直列回路の中間点から上下各２個の半導体スイッチの直列回路と並列接続される第２のコンデンサと、前記第１の半導体スイッチ直列回路の中間点から上下各３個の半導体スイッチの直列回路と並列接続される第３のコンデンサと、前記第３のコンデンサと並列接続されるダイオードを逆並列接続した少なくとも６個の半導体スイッチを直列接続した第２の半導体スイッチ直列回路と、前記第２の半導体スイッチ直列回路の中間点から上下各２個の半導体スイッチの直列回路と並列接続される第４のコンデンサと、前記第２の半導体スイッチ直列回路の中間点に接続される二つの半導体スイッチの直列回路と並列接続される第５のコンデンサと、前記第２の半導体スイッチ直列回路の中間点と前記直流電源の中間端子との間に接続される双方向性のスイッチングが可能な双方向スイッチと、を備えたマルチレベル電力変換回路の制御方式において、交流端子となる前記第１の半導体スイッチ直列回路の中間点の電位が、前記直流電源回路の正側電位から中間電位を経て負側電位に移行する際、又は前記直流電源の負側電位から中間電位を経て正側電位に移行する際、予め決められたスイッチングパターンを出力する。
【００２１】
第７の発明においては、直流から交流、もしくは交流から直流に変換する電力変換回路であって、１相分の回路として、正側端子と負側端子と中間端子とを備えた直流電源の正側端子と負側端子との間に接続したダイオードを逆並列接続した少なくとも８個の半導体スイッチを直列接続した第１の半導体スイッチ直列回路と、前記第１の半導体スイッチ直列回路の中間点に接続される二つの半導体スイッチの直列回路と並列接続される第１のコンデンサと、前記第１の半導体スイッチ直列回路の中間点から上下各２個の半導体スイッチの直列回路と並列接続される第２のコンデンサと、前記第１の半導体スイッチ直列回路の中間点から上下各３個の半導体スイッチの直列回路と並列接続される第３のコンデンサと、前記第３のコンデンサと並列接続されるダイオードを逆並列接続した少なくとも６個の半導体スイッチを直列接続した第２の半導体スイッチ直列回路と、前記第２の半導体スイッチ直列回路の中間点から上下各２個の半導体スイッチの直列回路と並列接続される第４のコンデンサと、前記第２の半導体スイッチ直列回路の中間点に接続される二つの半導体スイッチの直列回路と並列接続される第５のコンデンサと、前記第２の半導体スイッチ直列回路の中間点と前記直流電源の中間端子との間に接続される双方向性のスイッチングが可能な双方向スイッチと、を備えたマルチレベル電力変換回路の制御方式において、交流端子となる前記第１の半導体スイッチ直列回路の中間点の電位が、前記直流電源回路の正側電位から中間電位を経て負側電位に移行する際、又は前記直流電源の負側電位から中間電位を経て正側電位に移行する際、前記第１〜第５のコンデンサのうち少なくとも１個のコンデンサの電圧値に応じて、予め決められたスイッチングパターンを出力する。
【００２２】
第８の発明においては、第６又は７の発明における予め決められたスイッチングパターンを出力する時間は、パルス幅変調（ＰＷＭ）制御のキャリア周期よりも短い時間とする。
【００２３】
第９の発明においては、第６又は７の発明におけるスイッチングパターンの選択は事前に検出された５個のコンデンサの電圧値に応じて決定する。
第１０の発明においては、第９の発明におけるスイッチングパターンの選択は前記第４又は第５のコンデンサの電圧値を第１優先として決定する。
【発明の効果】
【００２４】
本発明では、フライングキャパシタを用いたマルチレベル電力変換回路の制御方式として、交流端子電圧を０〜Ｅｄ、又は０〜−Ｅｄに変化させる遷移過程で、フライングキャパシタの電圧を検出して、電圧が所定値より低くなった場合はフライングキャパシタを充電するパターンのオンオフパルスを、電圧が所定値より高くなった場合はフライングキャパシタを放電するパターンのオンオフパルスを、ＰＷＭ制御のキャリア周期より短い時間、各半導体スイッチの正規のオンオフ信号パターンに優先して出力する制御をしているため、フライングキャパシタの静電容量を大きくする必要がなくなる。
【００２５】
この結果、フライングキャパシタの静電容量を極力小さくできるマルチレベル電力変換回路の制御が可能となる。
【図面の簡単な説明】
【００２６】
【図１】本発明の制御アリゴリズムを示す制御フロー図例１である。
【図２】本発明の制御アリゴリズムを示す制御フロー図例２である。
【図３】本発明の０→−Ｅｄ遷移時の第１の実施例を示す動作説明図である。
【図４】本発明の０→−Ｅｄ遷移時の第２の実施例を示す動作説明図である。
【図５】本発明の０→−Ｅｄ遷移時の第３の実施例を示す動作説明図である。
【図６】本発明の０→−Ｅｄ遷移時の第４の実施例を示す動作説明図である。
【図７】本発明の０→−Ｅｄ遷移時の第５の実施例を示す動作説明図である。
【図８】本発明の０→−Ｅｄ遷移時の第６の実施例を示す動作説明図である。
【図９】本発明の０→−Ｅｄ遷移時の第７の実施例を示す動作説明図である。
【図１０】本発明の０→−Ｅｄ遷移時の第８の実施例を示す動作説明図である。
【図１１】第１〜第８の実施例におけるコンデンサの充放電状態を示す。
【図１２】コンデンサの電圧と強制割込みパターンの選択方法を示す。
【図１３】本発明の０→Ｅｄ遷移時の実施例を示す図である。
【図１４】本発明が対象とするマルチレベル電力変換回路図例である。
【図１５】双方向スイッチの構成例を示す。
【図１６】マルチレベル電力変換回路を用いた三相電力変換装置例である。
【図１７】マルチレベル電力変換回路の基本部を示す回路図である。
【図１８】マルチレベル電力変換回路の交流電圧波形例を示す。
【図１９】Ｅｄから零電位（０）に遷移する際の零電圧出力パターンを示す。
【図２０】−Ｅｄから零電位（０）に遷移する際の零電圧出力パターンを示す。
【図２１】同じ耐圧の半導体スイッチを用いた時の７レベルの変換回路図である。
【図２２】同じ耐圧の半導体スイッチを用いた時の９レベルの変換回路図である。
【発明を実施するための形態】
【００２７】
本発明の要点は、フライングキャパシタを用いたマルチレベル電力変換回路の制御方式として、交流端子電圧を０〜Ｅｄ（負から正）、又は０〜−Ｅｄ（正から負）に変化させる遷移過程で、フライングキャパシタの電圧を検出して、電圧が所定値より低くなった場合はフライングキャパシタを充電するパターンのオンオフパルスを、電圧が所定値より高くなった場合はフライングキャパシタを放電するパターンのオンオフパルスを、ＰＷＭ制御のキャリア周期より短い時間、各半導体スイッチの正規のオンオフ信号パターンに優先して出力するようにしている点である。
【実施例１】
【００２８】
図１に、本発明の第１の実施例を示す。図１が本発明のＰＷＭ制御アルゴリズムの制御フロー図例で、また図３〜図１０が、図１９における零電圧から−Ｅｄ電圧へ遷移させるための方法８種類の動作パターン例である。
【００２９】
図１においてスタート後、ブロック１では出力電圧指令が正か負かを判断する。正の場合では、ブロック２にて正側電圧のＰＷＭ制御を行い、３Ｅｄ、２Ｅｄ、Ｅｄ、０のいずれかの電圧が出力される。その後、ブロック３では、負側の電圧指令の有無を判断する。「有り」となった場合はブロック４でフライングキャパシタ（Ｃ１ａ、Ｃ２、Ｃ１ｂ）の各電圧値を検出し、ブロック５において、検出した電圧値と平均電圧（設定値）との比較を行い、その大小判断を行う。その結果によりブロック６において、予め決められているパターンを短時間（ＩＧＢＴの転流時間のみを考慮すればよいので、一般にはトータルで１０μｓ程度）出力し、ブロック７にて−Ｅｄを出力する。ここでブロック７における−Ｅｄは、「発明が解決しようとする課題」で説明した「交流端子ＡＣＴに−Ｅｄを出力するスイッチングパターン」の中の（３）又は（５）のパターンである。これ以降、ブロック８の負側電圧のＰＷＭ制御を行い、−３Ｅｄ、−２Ｅｄ、−Ｅｄ、０のいずれかの電圧が出力され、以下ブロック１０、１１、１２の処理が実施され、正側電圧のＰＷＭ制御に移行される。本動作中、負側電圧指令中にコンデンサＣ１ａに電流が流れるパターンはブロック４から７で、正側電圧指令中にコンデンサＣ１ａに電流が流れるパターンはブロック１０から１３で、時間的には数μｓ（マイクロ秒）となる。
【００３０】
また、コンデンサＣ１ａの電圧は、平均的にＥｄとする必要があるため、ブロック４又はブロック１０を動作させる前に、コンデンサＣ１ａの電圧値に応じて、その出力パターンを決定する。
【００３１】
例えば、零電圧から−Ｅｄ電圧へ遷移する場合には、コンデンサＣ１ａの電圧値がＥｄよりも低い場合は充電するパターン（図３、図４、図６、図８）を、Ｅｄよりも高い場合は放電するパターン（図５、図７、図９、図１０）を選択することで、平均的な電圧をＥｄに保持することが可能となる。
【００３２】
ここで、図３〜図１０は電流を交流端子側（正側）へ流す時の動作パターン図で、半導体スイッチとしてＩＧＢＴを使用した例である。図３から図１０をそれぞれ実施例１ａから実施例８ａと呼ぶことにする。図３（実施例１ａ）について説明する。図１９における零を出力している状態（ａ）からＩＧＢＴＳ９をオフ、ＩＧＢＴＳ８をオンとした時の状態（ｂ）では交流端子には−Ｅｄが出力され、この時コンデンサＣ１ａは充電される。次にＩＧＢＴＳ４をオフ、ＩＧＢＴＳ３をオンとする状態（ｃ）では交流端子には零電圧が出力され、この時、コンデンサＣ１ａは充電、コンデンサＣ１ｂは放電される動作パターンとなる。次にＩＧＢＴＳ１０をオフ、ＩＧＢＴＳ７をオンとする状態（ｄ）（正規の状態）では交流端子電圧は−Ｅｄとなる。この様に交流端子電圧を零の状態から−Ｅｄに変化させる時に、短時間（キャリアの１周期の時間より短い時間）交流端子電圧が−Ｅｄとなる動作パターンを出力することにより、コンデンサＣ１ａを充電、コンデンサＣ２を充電、コンデンサＣ１ｂを放電させることが可能となる。
【００３３】
図４は動作パターンの実施例２ａである。図１９における零を出力している状態（ａ）からＩＧＢＴＳ９をオフ、Ｓ８をオンとした時の状態（ｂ）では交流端子には−Ｅｄが出力され、この時コンデンサＣ１ａは充電される。次にＩＧＢＴＳ５をオフ、ＩＧＢＴＳ２をオンとする状態（ｃ）では交流端子には零電圧が出力され、この時、コンデンサＣ１ａは充電、コンデンサＣ２は放電、コンデンサＣ１ｂは充電される動作パターンとなる。次にＩＧＢＴＳ１０をオフ、ＩＧＢＴＳ７をオンとする状態（ｄ）（正規の状態）では交流端子電圧は−Ｅｄとなる。この様に交流端子電圧を零の状態から−Ｅｄに変化させる時に、短時間（キャリアの１周期の時間より短い時間）交流端子電圧が−Ｅｄとなる動作パターンを出力することにより、コンデンサＣ１ａを充電、コンデンサＣ２を放電、コンデンサＣ１ｂを充電させることが可能となる。
【００３４】
図５は動作パターンの実施例３ａである。図１９における零を出力している状態（ａ）からＩＧＢＴＳ５をオフ、ＩＧＢＴＳ２をオンとした時の状態（ｂ）では交流端子には−Ｅｄが出力され、この時コンデンサＣ２は放電、コンデンサＣ１ｂは充電される。次にＩＧＢＴＳ１０をオフ、ＩＧＢＴＳ７をオンとする状態（ｃ）では交流端子には零電圧が出力され、この時、コンデンサＣ１ａは放電、コンデンサＣ１ｂは充電される動作パターンとなる。次にＩＧＢＴＳ９をオフ、ＩＧＢＴＳ８をオンとする状態（ｄ）（正規の状態）では交流端子電圧は−Ｅｄとなる。この様に交流端子電圧を零の状態から−Ｅｄに変化させる時に、短時間（キャリアの１周期の時間より短い時間）交流端子電圧が−Ｅｄとなる動作パターンを出力することにより、コンデンサＣ１ａを放電、コンデンサＣ２を放電、コンデンサＣ１ｂを充電させることが可能となる。
【００３５】
図６は動作パターンの実施例４ａである。図１９における零を出力している状態（ａ）からＩＧＢＴＳ５をオフ、ＩＧＢＴＳ２をオンとした時の状態（ｂ）では交流端子には−Ｅｄが出力され、この時コンデンサＣ２は放電、コンデンサＣ１ｂは充電される。次にＩＧＢＴＳ９をオフ、ＩＧＢＴＳ８をオンとする状態（ｃ）では交流端子には零電圧が出力され、この時、コンデンサＣ１ａは充電、コンデンサＣ２は放電、コンデンサＣ１ｂは充電される動作パターンとなる。次にＩＧＢＴＳ１０をオフ、ＩＧＢＴＳ７をオンとする状態（ｄ）（正規の状態）では交流端子電圧は−Ｅｄとなる。この様に交流端子電圧を零の状態から−Ｅｄに変化させる時に、短時間（キャリアの１周期の時間より短い時間）交流端子電圧が−Ｅｄとなる動作パターンを出力することにより、コンデンサＣ１ａを充電、コンデンサＣ２を放電、コンデンサＣ１ｂを充電させることが可能となる。
【００３６】
図７は動作パターンの実施例５ａである。図１９における零を出力している状態（ａ）からＩＧＢＴＳ４をオフ、ＩＧＢＴＳ３をオンとした時の状態（ｂ）では交流端子には−Ｅｄが出力され、この時コンデンサＣ１ｂは放電される。次にＩＧＢＴＳ１０をオフ、ＩＧＢＴＳ７をオンとする状態（ｃ）では交流端子には零電圧が出力され、この時、コンデンサＣ１ａは放電、コンデンサＣ２は充電、コンデンサＣ１ｂは放電される動作パターンとなる。次にＩＧＢＴＳ９をオフ、ＩＧＢＴＳ８をオンとする状態（ｄ）（正規の状態）では交流端子電圧は−Ｅｄとなる。この様に交流端子電圧を零の状態から−Ｅｄに変化させる時に、短時間（キャリアの１周期の時間より短い時間）交流端子電圧が−Ｅｄとなる動作パターンを出力することにより、コンデンサＣ１ａを放電、コンデンサＣ２を充電、コンデンサＣ１ｂを放電させることが可能となる。
【００３７】
図８は動作パターンの実施例６ａである。図１９における零を出力している状態（ａ）からＩＧＢＴＳ４をオフ、ＩＧＢＴＳ３をオンとした時の状態（ｂ）では交流端子には−Ｅｄが出力され、この時コンデンサＣ１ｂは放電される。次にＩＧＢＴＳ９をオフ、ＩＧＢＴＳ８をオンとする状態（ｃ）では交流端子には零電圧が出力され、この時、コンデンサＣ１ａは充電、コンデンサＣ１ｂは放電される動作パターンとなる。次にＩＧＢＴＳ１０をオフ、ＩＧＢＴＳ７をオンとする状態（ｄ）（正規の状態）では交流端子電圧は−Ｅｄとなる。この様に交流端子電圧を零の状態から−Ｅｄに変化させる時に、短時間（キャリアの１周期の時間より短い時間）交流端子電圧が−Ｅｄとなる動作パターンを出力することにより、コンデンサＣ１ａを充電、コンデンサＣ２を充電、コンデンサＣ１ｂを放電させることが可能となる。
【００３８】
図９は動作パターンの実施例７ａである。図１９における零を出力している状態（ａ）からＩＧＢＴＳ１０をオフ、ＩＧＢＴＳ７をオンとした時の状態（ｂ）では交流端子には−Ｅｄが出力され、この時コンデンサＣ１ａは放電、コンデンサＣ２は充電される。次にＩＧＢＴＳ４をオフ、ＩＧＢＴＳ３をオンとする状態（ｃ）では交流端子には零電圧が出力され、この時、コンデンサＣ１ａは放電、コンデンサＣ２は充電、コンデンサＣ１ｂは放電される動作パターンとなる。次にＩＧＢＴＳ９をオフ、ＩＧＢＴＳ８をオンとする状態（ｄ）（正規の状態）では交流端子電圧は−Ｅｄとなる。この様に交流端子電圧を零の状態から−Ｅｄに変化させる時に、短時間（キャリアの１周期の時間より短い時間）交流端子電圧が−Ｅｄとなる動作パターンを出力することにより、コンデンサＣ１ａを放電、コンデンサＣ２を充電、コンデンサＣ１ｂを放電させることが可能となる。
【００３９】
図１０は動作パターンの実施例８ａである。図１９における零を出力している状態（ａ）からＩＧＢＴＳ１０をオフ、ＩＧＢＴＳ７をオンとした時の状態（ｂ）では交流端子には−Ｅｄが出力され、この時コンデンサＣ１ａは放電、コンデンサＣ２は充電される。次にＩＧＢＴＳ５をオフ、ＩＧＢＴＳ２をオンとする状態（ｃ）では交流端子には零電圧が出力され、この時、コンデンサＣ１ａは放電、コンデンサＣ１ｂは充電される動作パターンとなる。次にＩＧＢＴＳ９をオフ、ＩＧＢＴＳ８をオンとする状態（ｄ）（正規の状態）では交流端子電圧は−Ｅｄとなる。この様に交流端子電圧を零の状態から−Ｅｄに変化させる時に、短時間（キャリアの１周期の時間より短い時間）交流端子電圧が−Ｅｄとなる動作パターンを出力することにより、コンデンサＣ１ａを放電、コンデンサＣ２を充電、コンデンサＣ１ｂを充電させることが可能となる。
【００４０】
図１１に実施例１ａから実施例８ａの動作パターンでの各コンデンサＣ１ａ、Ｃ２、Ｃ１ｂの充電、放電の状態を示す。太字斜体の「充電」、「放電」が強制パターンを出力する時の動作である。図１２に強制パターンの選択方法を示す。コンデンサＣ１ａ、Ｃ２、Ｃ１ｂの各電圧を検出し、電圧が所定値より低い場合は充電するモードが含まれる動作パターンを、電圧が所定値より高い場合は放電するモードが含まれる動作パターンを、強制パターンとして選択することにより、コンデンサの過充電または過放電を防止することが可能となる。電流が交流端子へ流れ出す時の説明であるが、交流端子へ電圧を出しても電流が交流端子から流れ込むモードの場合は、コンデンサの充電と放電の関係が逆になる。
【００４１】
次に、図２０における零電圧からＥｄ電圧へ遷移させる時の制御方法について説明する。
図１においてスタート後、ブロック１では出力電圧指令が正か負かを判断し、負の場合の制御方式である。ブロック８にて負側電圧のＰＷＭ制御を行い、−３Ｅｄ、−２Ｅｄ、−Ｅｄ、０のいずれかの電圧が出力される。その後、ブロック９では、正側の電圧指令の有無を判断する。「有り」となった場合はブロック１０で、コンデンサ(フライングキャパシタ)（Ｃ１ａ、Ｃ２、Ｃ１ｂ）の各電圧値を検出し、ブロック１１において、検出した電圧値と平均電圧値（設定値）との比較を行い、その大小判断を行う。その結果によりブロック１２において、予め決められているパターンを短時間（ＩＧＢＴの転流時間のみを考慮すればよいので、一般にはトータルで１０μｓ程度）出力し、ブロック１３にてＥｄを出力する。これ以降、ブロック２の正側電圧のＰＷＭ制御を行い、３Ｅｄ、２Ｅｄ、Ｅｄ、０のいずれかの電圧が出力され、以下ブロック４、５、６の処理が実施され、負側電圧のＰＷＭ制御に移行される。
【００４２】
図１３に、図２０における零電圧からＥｄ電圧へ遷移させるための方法として、８種類の動作パターン実施例１ｂ〜８ｂを示す。各実施例とも（ａ）→（ｂ）→（ｃ）→（ｄ）の順にスイッチングパターンを遷移させることにより、交流電圧は０→Ｅｄ→０→Ｅｄ、０→−Ｅｄ→０→Ｅｄのように、交流端子電圧が短時間Ｅｄとなる動作パターン又は短時間−Ｅｄとなる動作パターンを出力することにより、各々のコンデンサの充電と放電が可能となる。強制パターンの選択方法は零電圧から−Ｅｄへの遷移時と同様であるので詳細の説明は省略する。
【実施例２】
【００４３】
図２に、本発明の第２の実施例を示す。第1の実施例からコンデンサ電圧検出４、１０と、平均電圧との大小判定ブロック５、１１とを削除した構成である。図２においてスタート後、ブロック１では出力電圧指令が正か負かを判断する。正の場合では、ブロック２にて正側電圧のＰＷＭ制御を行い、３Ｅｄ、２Ｅｄ、Ｅｄ、０のいずれかの電圧が出力される。その後、ブロック３では、負側の電圧指令の有無を判断する。「有り」となった場合は、ブロック６において、予め決められているパターンを短時間（ＩＧＢＴの転流時間のみを考慮すればよいので、一般にはトータルで１０μｓ程度）出力し、ブロック７にて−Ｅｄを出力する。ここでブロック７における−Ｅｄは、「発明が解決しようとする課題」で説明した「交流端子ＡＣＴに−Ｅｄを出力するスイッチングパターン」の中の（３）又は（５）のパターンである。これ以降、ブロック８の負側電圧のＰＷＭ制御を行い、−３Ｅｄ、−２Ｅｄ、−Ｅｄ、０のいずれかの電圧が出力され、以下ブロック１２の処理が実施され、正側電圧のＰＷＭ制御に移行される。
【００４４】
制御条件等により予めコンデンサの電圧変動が判っている場合や、交流電圧を０から−Ｅｄ（正から負）又は０からＥｄ（負から正）へスムーズに切替える場合の実施例で、コンデンサ電圧を検出することなく、予め決められた動作パターンを強制パターンとして出力する制御方式である。
【００４５】
尚、本制御原理は、図２２に示すようなフライングキャパシタを用いた９レベル以上のマルチレベル変換回路にも適用可能であり、本構成の場合、本発明によって、コンデンサＣ１ａとＣ２ａの小型化が可能となる。
【産業上の利用可能性】
【００４６】
本発明は、フライングキャパシタを用いた高電圧出力の電動機駆動用電力変換装置、系統連系用電力変換装置などへの適用が可能である。
【符号の説明】
【００４７】
ＤＰ１、ＤＰ２・・・直流電源          ＡＵ、ＡＶ、ＡＷ・・・１相分アーム
Ｃ１ａ、Ｃ１ｂ、Ｃ２、Ｃ２ａ、Ｃ２ｂ、Ｃ３、Ｃｆ・・・コンデンサ
Ｓ１〜Ｓ１６、Ｑ１〜Ｑ６、Ｓ１ａ〜Ｓ１ｅ、Ｓ６ａ〜Ｓ６ｄ・・・ＩＧＢＴ
Ｓ８ａ〜Ｓ８ｅ・・・ＩＧＢＴ          ＡＣＭ・・・交流電動機
【図１】
2014017957.tif 000003
【図２】
2014017957.tif 000004
【図３】
2014017957.tif 000005
【図４】
2014017957.tif 000006
【図５】
2014017957.tif 000007
【図６】
2014017957.tif 000008
【図７】
2014017957.tif 000009
【図８】
2014017957.tif 000010
【図９】
2014017957.tif 000011
【図１０】
2014017957.tif 000012
【図１１】
2014017957.tif 000013
【図１２】
2014017957.tif 000014
【図１３】
2014017957.tif 000015
【図１４】
2014017957.tif 000016
【図１５】
2014017957.tif 000017
【図１６】
2014017957.tif 000018
【図１７】
2014017957.tif 000019
【図１８】
2014017957.tif 000020
【図１９】
2014017957.tif 000021
【図２０】
2014017957.tif 000022
【図２１】
2014017957.tif 000023
【図２２】
2014017957.tif 000024